(57)【要約】【課題】円滑に作動させると共に、レールの幅を小さくできる構造の単式ガイドレールを提供する。【解決手段】キャビネット等の家具の引出体２０側に設けたレールと、該レールに対して相対移動関係となる収納体１０側に設けたレールとを有する単式ガイドレールであって、一方のレール部材２２は、その横断面において、４つの壁部２２Ａ，２２Ｂ，２２Ｃ，２２Ｄに囲まれた矩形状を成しつつ隙間開口を有し、他方のレール部材１２は、卍の一部をなす壁部１２Ａ，１２Ｂ，１２Ｃを有し、一方のレール部材２２に内挿されると共に、他方のレール部材１２の２つの壁部１２Ｂ，１２Ｃを内挿する横断面形状を有する保持部材３０と、該保持部材に装着され、対向する２壁部間に亘って転動する４箇所の転動体Ｒ１，Ｒ２，Ｒ３，Ｒ４を具備するよう構成する。【選択図】        図２
2004215751.tif 000002
【特許請求の範囲】
【請求項１】
キャビネット等の家具の引出体側に設けたレールと、該レールに対して相対移動関係となる収納体側に設けたレールとを有する単式ガイドレールであって、
一方のレール部材は、その横断面において、第１壁部と、該第１壁部の一端部において折曲状に延伸した第２壁部と、他端部においても第１壁部に対して第２壁部と同じ側に折曲状に延伸した第４壁部と、第２壁部の延伸先側端部において、該第２壁部に対して第１壁部と同じ側に折曲状に延伸し、第４壁部とは離隔している第３壁部とを具備し、
他方のレール部材は、その横断面において、前記第３壁部の側から第１壁部の側に向かって延伸するＡ壁部と、該Ａ壁部の前記第１壁部に近い端部から前記第２壁部に向かって延伸するＢ壁部と、該Ｂ壁部の前記第２壁部に近い端部から前記第１壁部に向かって延伸するＣ壁部と、Ａ壁部に連続して前記一方のレール部材の外方に延伸する延伸部とを具備し、
前記一方のレール部材と他方のレール部材は互いに隙間を有して離隔しており、前記一方のレール部材に内挿されると共に、他方のレール部材のＢ壁部とＣ壁部とを内挿する横断面形状を有する保持部材と、該保持部材に装着され、第１壁部とＢ壁部との対向壁面間にほぼ亘って転動する第１転動体と、第３壁部とＢ壁部との対向壁面間にほぼ亘って転動する第２転動体と、第４壁部とＣ壁部との対向壁面間にほぼ亘って転動する第３転動体と、第２壁部とＡ壁部との対向壁面間にほぼ亘って転動する第４転動体とを具備する
以上の２つのレール部材の組合せが存在する
ことを特徴とする単式ガイドレール。
【請求項２】
前記一方のレール部材は引出体側に取り付けられ、他方のレール部材は収納体側に取り付けられると共に、引出体側に取り付けられて一方のレール部材を外側から概ね覆うように配設されている板状部材を更に具備する請求項１記載の単式ガイドレール。
【請求項３】
前記保持部材の引出体の前方側の端部が、他方のレール部材の所定位置に設けられた第１係合部に当接して引き出し抵抗の急上昇をもたらし、引出体後方側の端部が、他方のレール部材の他の所定位置に設けられた第２係合部に当接して押し込み抵抗の急上昇をもたらす請求項１又は２記載の単式ガイドレール。
【発明の詳細な説明】
【０００１】
【発明の属する技術分野】
本発明は、キャビネット等のオフィス用家具や家庭用家具等の抽斗やテーブルを引き出す際の摩擦低減用に用いるガイドレールに関し、固体側と移動側という組合わせの、所謂、単式ガイドレールに関する。本願の引出体とは、引き出される物一般を表現しており、抽斗や引き出されるテーブル等が含まれる。
【０００２】
【従来の技術】
従来から、キャビネットの抽斗のように、特に重いものを引き出す場合、それを滑らかに引き出すために、個別ローラを組み込んだ、単式や複式のガイドレールが用いられている。下記特許文献１には個別ローラに代わり、複数個のローラ（円板状部材も含む）をリテーナに装着したユニット部品を組み込んだスライドレールが開示されている。
【特許文献１】
特許第３３５４６３７号公報
【０００３】
【発明が解決しようとする課題】
抽斗収納体である筐体の大きさに対して抽斗を可及的に大きくすることは、家具のコンパクトさを考えれば当然の命題であるが、上記公報開示範囲では、横方向ガタと縦方向ガタを防止した円滑に作動するスライドレールが提供できるものの、このコンパクトさの達成には改善の余地がある。また、インナレールを抽斗側に取り付けた場合、該レール部材は所定隙間を有しているため、抽斗側に装着されて引き出されると内部に装着されたユニット部品等が外部から覗き見えることもあり、美観を損なう他、摺動部材であるため、例えばグリースが付着していることもあり、手や衣服を汚す虞もある。
依って本発明は、円滑に作動させると共に、レールの幅を小さくコンパクトにできる構造の単式ガイドレールの提供を目的とする。
また、引出体を引き出した場合に、美観を保持しつつ使用者への汚れ付着防止を目的とする。
【０００４】
【課題を解決するための手段】
上記目的に鑑みて請求項１では、キャビネット等の家具の引出体側に設けたレールと、該レールに対して相対移動関係となる収納体側に設けたレールとを有する単式ガイドレールであって、一方のレール部材は、その横断面において、第１壁部と、該第１壁部の一端部において折曲状に延伸した第２壁部と、他端部においても第１壁部に対して第２壁部と同じ側に折曲状に延伸した第４壁部と、第２壁部の延伸先側端部において、該第２壁部に対して第１壁部と同じ側に折曲状に延伸し、第４壁部とは離隔している第３壁部とを具備し、他方のレール部材は、その横断面において、前記第３壁部の側から第１壁部の側に向かって延伸するＡ壁部と、該Ａ壁部の前記第１壁部に近い端部から前記第２壁部に向かって延伸するＢ壁部と、該Ｂ壁部の前記第２壁部に近い端部から前記第１壁部に向かって延伸するＣ壁部と、Ａ壁部に連続して前記一方のレール部材の外方に延伸する延伸部とを具備し、前記一方のレール部材と他方のレール部材は互いに隙間を有して離隔しており、前記一方のレール部材に内挿されると共に、他方のレール部材のＢ壁部とＣ壁部とを内挿する横断面形状を有する保持部材と、該保持部材に装着され、第１壁部とＢ壁部との対向壁面間にほぼ亘って転動する第１転動体と、第３壁部とＢ壁部との対向壁面間にほぼ亘って転動する第２転動体と、第４壁部とＣ壁部との対向壁面間にほぼ亘って転動する第３転動体と、第２壁部とＡ壁部との対向壁面間にほぼ亘って転動する第４転動体とを具備する２つのレール部材の組合せが存在することを特徴とする単式ガイドレールを提供する。
一方と他方の各レール部材は、夫々１本ずつとは限らない。複数本の場合、転動体（を装着した保持部材）が増え、荷重が分散されてガイドレールの耐久性が向上する効果がある。
【０００５】
上記形状の一方のレール部材の各内壁面と、他方のレール部材のＡ，Ｂ，Ｃ各壁部との間にほぼ亘って転動する転動体が配設されているため、一方のレール部材と他方のレール部材との相対移動時に転がり摩擦による移動となり、小さな力で移動できると共に、互いに各転動体を介して２次元方向に拘束されているため、ガタが規制でき、滑らかな作動が可能となる。更に重要なことには、第３転動体と第４転動体とは、他方のレール部材に対しては、Ｂ壁部の延伸長さ（幅）だけ離隔したＣ壁部とＡ壁部とに、夫々、ほぼ亘っているため、Ｂ壁部の幅に応じて、この幅方向に互いの転動体が重複して配設されており、そのため一方のレール部材がコンパクト化でき、ガイドレールがコンパクトになる。
【０００６】
請求項２では、前記一方のレール部材は引出体側に取り付けられ、他方のレール部材は収納体側に取り付けられると共に、引出体側に取り付けられて一方のレール部材を外側から概ね覆うように配設されている板状部材を更に具備する請求項１記載の単式ガイドレールを提供する。
【０００７】
一方のレール部材では、第３壁部と第４壁部との間には相対移動の必然性から隙間開口が存在するため、該レール部材が引出体側部に装着されて引き出された場合に、隙間開口から内部の機構が覗き見え、美観を損なう場合があるが、上記板状部材の存在によってこれを防止できる他、引出体側レール部材は、例えばグリ−スが付着していることもあり、手や衣服がこれに触れることも防止できる。
【０００８】
請求項３では、前記保持部材の引出体の前方側の端部が、他方のレール部材の所定位置に設けられた第１係合部に当接して引き出し抵抗の急上昇をもたらし、引出体後方側の端部が、他方のレール部材の他の所定位置に設けられた第２係合部に当接して押し込み抵抗の急上昇をもたらす請求項１又は２記載の単式ガイドレールを提供する。
必須部材である保持部材を利用して引出体の引き出しと押し込みの各抵抗の急上昇をもたらせば、引出体を一旦停止させることもでき、機構も簡便である。
【０００９】
【発明の実施の形態】
以下、本発明を添付図面に示す実施形態例に基づき、更に詳細に説明する。
図１は本発明に係る単式ガイドレールの側面図であり、図２は矢視線Ｂ−Ｂによる拡大横断面図であるが、図２の後述のユニット体は単純な平面で切断した状態を示しておらず、ローラを明示するための図としている。家具としてキャビネットを例とし、引出体としての抽斗２０が収納体としての筐体１０に対して水平方向に出し入れされる場合の、水平方向にガイドするレール機構である。しかし、上下方向等、水平方向以外に案内するものでも本願の範囲内である。
【００１０】
主に図２を参照しながらガイドレール機構を説明する。一方のレール部材２２は、この例では抽斗２０に装着される抽斗側レール部材であり、例えば、抽斗側面２０Ｈに設けたブラケット２０Ｂを、抽斗側レール部材２２の左右（方向）平板状壁部２２Ａ（第１壁部）（以下、種々の壁部に対して平板状を省略する）に設けた係合部２２Ｆに係合させて抽斗に取り付けているが、抽斗側壁に直接に取り付けてもよい。該左右壁部の左右端部では、夫々、上下（方向）壁部２２Ｄ（第４壁部），２２Ｂ（第２壁部）が直角に折曲状に延伸形成され、抽斗側面２０Ｈ側の上下壁部２２Ｂの下端部では前記左右壁部２２Ａと同じ側であって、平行に左右（方向）壁部２２Ｃ（第３壁部）が折曲状に延伸形成されている。
【００１１】
左右壁部２２Ｃは左右壁部２２Ａよりも延伸幅が小さく、また、上下壁部２２Ｄは上下壁部２２Ｂよりも延伸幅が小さい。従って、左右壁部２２Ｃと上下壁部２２Ｄとの間には隙間開口が存在する。隙間開口を確保するためには、左右壁部２２Ｃと上下壁部２２Ｄとの何れか一方の幅が小さければ、他方は壁部２２Ａや２２Ｂと同じか、より長くてもよい。更には、この例では抽斗側レール部材２２では、各壁部は直角に折曲状に延伸しているが、本願ではこれらの壁部間の角度は直角に限らない。こうした一般的な角度では、壁部２２Ｄと２２Ｃとの間に隙間開口があればよく、上記の如き幅寸法の関係は不用である。
【００１２】
図２の例に戻ると、他方のレール部材１２は、この例では筐体１０に装着される筐体側レール部材であり、例えば、筐体側レール部材１２の、後述の延伸部の一部である上下壁部１２Ｅに設けた係合部１２Ｂを筐体１０に係合させて取り付けているが、筐体に対して上下壁部１２Ｅを直接に接合させる等してもよい。前記左右壁部２２Ｃの端部近くから垂直上方に延伸して上下壁部１２Ａとし、その上側端部を壁部２２Ｂの方向に水平に折曲状に延伸させて左右壁部１２Ｂとし、壁部２２Ｂに近づいた位置で更に壁部２２Ａの方向に折曲状に延伸させて上下壁部１２Ｃとし、壁部２２Ａとは離隔させている。
【００１３】
一方、壁部１２Ａの下端部は壁部２２Ｃの高さ位置の近くにあり、好ましくは、同壁部２２Ｃよりも低く位置させ、筐体１０の方向に水平に折曲状に延伸させて左右壁部（第１延伸部）１２Ｄとし、その端部を折曲状に垂直上方向に延伸させて上下壁部（第２延伸部）１２Ｅとしている。垂直下方向に延伸させてもよい。以上の如く、筐体側レール部材１２は抽斗側レール部材２２とは離隔しており、一切当接部位は存在しない。こうした離隔状態を維持すべく、側面図を図３に示すユニット体を抽斗側レール部材に内挿している。
【００１４】
上記ユニット体の本体部である保持部材３０の横断面形状は、筐体側レール部材１２の壁部１２Ｂ，１２Ｃを内挿できると共に、抽斗側レール部材内部に挿入できる横断面形状をしている。その横断面形状は図２に現われている。保持部材には、４箇所に配設された転動体としてのローラＲ１，Ｒ２，Ｒ３，Ｒ４が装着されている。即ち、図２において、上方のローラＲ１は水平軸線Ｃ１を中心にして回転し、下方のローラＲ２は他の水平軸線Ｃ２を中心にして回転し、上方のローラＲ３は垂直軸線Ｃ３を中心にして回転し、下方のローラＲ４は他の垂直軸線Ｃ４を中心にして回転する。
【００１５】
ローラＲ１は壁部１２Ｂと２２Ａとの間にほぼ亘る大きさであり、ローラＲ２は壁部１２Ｂと２２Ｃとの間にほぼ亘る大きさである。従って、抽斗側レール部材と筐体側レール部材との上下方向のガタを防止できる。また、ローラＲ３は壁部１２Ｃと２２Ｄとの間にほぼ亘る大きさであり、ローラＲ４は壁部１２Ａと２２Ｂとの間にほぼ亘る大きさである。従って、抽斗側レール部材と筐体側レール部材との左右方向のガタを防止できる。
【００１６】
ローラＲ１は保持部材３０の前後に３個づつ、ローラＲ２は前後に２個づつ、ローラＲ３は前後に１個づつ、ローラＲ４は前後に１個づつ、夫々取り付けられているが、４種類とも前後に１個づつだけ設けたり、或いは、４種類とも全体で１個づつでもよい。
【００１７】
抽斗側レール部材２２の上下方向内寸は、ローラＲ１とＲ２の各直径寸法と壁部１２Ｂの板厚を合わせた寸法が必要である。しかし、左右方向内寸は、ローラＲ３とＲ４の各直径寸法と壁部１２Ｃ（又は１２Ａ）の板厚を合わせた寸法よりも小さくて済む。即ち、壁部１２Ｂの幅寸法Δ分だけ小さくて済む。従って、筐体１０の内部に設けた抽斗収納のための収納空間において、抽斗側レール部材２２の幅を小さくすることができ、延いては、抽斗の左右方向内寸を可及的に大きくできる。
【００１８】
また、抽斗を引き出せば、抽斗側レール部材２２は、壁部２２Ｃと２２Ｄとの間の隙間開口から、内部に挿入されているユニット体が見えてしまう虞がある。また、レール部材２２の汚れが使用者に付着する虞もある。そこで、抽斗２０に取り付け、この例の場合、壁部２２Ｄの筐体側に位置して、該壁部２２Ｄの下端よりも下方にまで延伸した２点鎖線で示す壁部２８（板状部材）を設ければ、上記ユニット体を隠すことができる他、使用者が抽斗側レール部材に接触することも防止できる。壁部２８の下端は壁部２２Ｃの水平高さ位置の近くまで至っていることが好ましい。
【００１９】
既に述べているが、上記形態例では抽斗側レール部材２２の各壁部は直角に折曲状に延伸しているが、これらの壁部間の角度は直角に限らない。また、筐体側レール部材１２の各壁部も直角に折曲状に延伸しているが、これらの壁部間の角度も直角に限らない。
【００２０】
更には、抽斗側レール部材２２を、抽斗の側面ではなく底面に対面するように装着してもよい。即ち、図２における面２０Ｈを底面と考えると、この場合は、レール部材２２の高さ寸法をΔ分小さくできる。従って、抽斗の深さ寸法を大きくできる。この場合は、例えば、抽斗の左右幅の中央寄り位置というように、ガイドレールの装着位置によっては上記壁部２８は無くても、美観上及び汚れ防止上の問題なく構成できる。また、壁部２８の装着位置は、抽斗の側面でもよく、底面でもよい。
また、２つのレール部材２２，１２の夫々の取り付け対象としての抽斗と筐体とを入れ換えることもできる。
以上の形態例では抽斗側と収納体側のレール部材が１本ずつであるが、本願はこれに限らない。
【００２１】
図４は、抽斗を最前位置まで引き出した場合の単式ガイドレールの要部側面図である。抽斗と共に抽斗側レール部材２２が前後移動し、それに伴って、内挿しているユニット体が該レール部材２２の半分の速度で移動する。ローラの存在によって各移動部材は滑らかな転がり摩擦によって移動できる。抽斗を引き出した場合は、レール部材１２に設けた停止部（第１係合部）１２ＦＳに対してユニット体の保持部材３０の前端部３０Ｆが当接することによりユニット体が停止する。
【００２２】
しかし、抽斗を更に強く引けば、抽斗と共にレール部材２２が、ユニット体の各ローラとの転がり摩擦で前進するのではなく、ユニット体が停止状態のまま滑りによって前進し、落下することが有り得る。これを防止すべく、図１に示すように、レール部材２２の後端近くに設けた前進停止体２２ＨＳが保持部材３０の後端部３０Ｒに当接するように構成している。即ち、レール部材１２に設けた停止部１２ＦＳに対してユニット体の保持部材３０の前端部３０Ｆが当接するのとほぼ同時に、前進停止体２２ＨＳが保持部材後端部３０Ｒに当接するように構成している。
【００２３】
また、抽斗を収納させる場合、保持部材３０の後端部が、レール部材１２の適宜位置に設けた停止部（第２係合部）１２ＲＳに当接してユニット体が停止する。しかし、抽斗を更に強く押せば、抽斗と共にレール部材２２が、ユニット体の各ローラとの転がり摩擦で後退するのではなく、ユニット体が停止状態のまま滑りによって後退し、後方に空間がある場合は落下する。これを防止すべく、図１に示すように、レール部材２２の適宜位置に設けた後退停止体２２ＳＳが保持部材３０の前端部に当接するように構成している。即ち、保持部材３０の後端部がレール部材１２の停止部１２ＲＳに当接してユニット体が停止するのとほぼ同時に、レール部材の後退停止体２２ＳＳが保持部材前端部に当接するように構成している。
本願は抽斗以外にテーブル等にも適用できることは既述の通りである。
重複記載となる部分もあるが、異なる形態例において説明した各事項は、特に矛盾のない限り、他の形態例にも適用できる。
【００２４】
【発明の効果】
以上の説明から明らかなように本発明によれば、円滑に作動させると共に、レールの幅を小さくできる構造の単式ガイドレールが提供可能となる。
【図面の簡単な説明】
【図１】図１は本発明に係る単式ガイドレールの側面図である。
【図２】図２は矢視線Ｂ−Ｂによる拡大横断面図である。
【図３】図３はユニット体の側面図である。
【図４】図４は引き出し状態の単式ガイドレールの要部側面図である。
【符号の説明】
１０                        筐体（収納体）
１２                        筐体側レール部材（他方のレール部材）
２０                        抽斗
２２                        抽斗側レール部材（一方のレール部材）
３０                        保持部材
Ｒ１，Ｒ２，Ｒ３，Ｒ４      転動体
【図１】
2004215751.tif 000003
【図２】
2004215751.tif 000004
【図３】
2004215751.tif 000005
【図４】
2004215751.tif 000006